(57)【要約】【課題】この発明は、電子部品の形状及びサイズに合わせたピンセットの設定作業を効率良く行うことができるピンセット型はんだこての提供を目的とする。【解決手段】はんだを溶融させることによって電子部品の取り付け又は取り外しを行うピンセット型はんだこて１であって、電子部品を把持する一対のピンセット１０、２０と、各ピンセット１０、２０を回動自在に支持する回転機構５０と、該回転機構５０に設けられて、該ピンセット１０、２０先端の開き幅を選択的に設定する角度調整機構５１と、を有することを特徴とする。【選択図】図９
2015131316.tif 000002
【特許請求の範囲】
【請求項１】
はんだを溶融させることによって電子部品の取り付け又は取り外しを行うピンセット型はんだこてであって、
電子部品を把持する一対のピンセットと、
各ピンセットを回動自在に支持する回転機構と、
該回転機構に設けられて、該ピンセット先端の開き幅を調整する角度調整機構と、を有することを特徴とするピンセット型はんだこて。
【請求項２】
前記回転機構は、前記ピンセットをそれぞれ軸支しかつ互いが平行となるように配置された一対の回転軸と、前記ピンセットを互いに離間させる方向に付勢する付勢手段と、前記ピンセットに接触して前記ピンセット先端が互い予め設定した開き幅となるように離間させるストッパーと、を有し、
前記角度調整機構は、前記ストッパーの位置を調整して、前記ピンセット先端の開き幅を調整するストッパー操作スイッチ、を有することを特徴とする請求項１に記載のピンセット型はんだこて。
【請求項３】
前記ストッパーは、前記ピンセット先端を広い開き幅とする第１のストッパーと、該ピンセット先端を狭い開き幅とする第２のストッパーと、を有し、
前記角度調整機構は、前記ストッパー操作スイッチの操作により、前記第１又は第２のストッパーのいずれか一方を前記ピンセットに接触可能とすることを特徴とする請求項２に記載のピンセット型はんだこて。
【請求項４】
前記角度調整機構は、前記第２のストッパーを前記ピンセットの回転経路に対して進退自在に配置し、前記ストッパー操作スイッチの操作により、前進位置にて、前記第２のストッパーを前記ピンセットに接触させ、また、後退位置にて前記第１のストッパーを前記ピンセットに接触させることを特徴とする請求項３に記載のピンセット型はんだこて。
【請求項５】
前記第２のストッパーは、前記回転軸を挟んで、前記ピンセット先端と反対側に位置する該ピンセット後端側に配置され、かつ該ピンセットの後端の間にて、進退自在に配置されることを特徴とする請求項４に記載のピンセット型はんだこて。
【発明の詳細な説明】
【技術分野】
【０００１】
本発明は、回路基板への電子部品を取り付ける、又は回路部品から電子部品を取り外すためのピンセット型はんだこてに関するものである。
【背景技術】
【０００２】
ＩＣ、抵抗、コンデンサなどの電子部品を、はんだを溶融させることによりプリント基板のような回路基板に取り付ける又は取り外すためのピンセット型はんだこてとして、特許文献１及び２に示される技術が示されている。
【０００３】
例えば、特許文献１には、先端部に電子部品を加熱しながら挟持する接触部をそれぞれ備えた一対の脚部（軸部）と、この脚部が互いに平行な状態で接近又は離反するよう両脚部を連結する連結機構とを備えた構造が示されている。
【０００４】
また、特許文献２のピンセット型はんだこてでは、ケースに内蔵されて並進移動する第１及び第２移動部（軸部）および該移動部の先端に設けられて被対象物を開放及び把持する把持部を有するピンセットと、ケースに内蔵されて第２移動部に連結された発熱体とを備え、ピンセットが被対象物を把持した状態で、該ピンセットの端部に発熱体が熱的に接触するように第２移動部を並進移動させる構成が示されている。
【先行技術文献】
【特許文献】
【０００５】
【特許文献１】特開２００４−５８０６４号公報
【特許文献２】特開２００８−８０３８０号公報
【発明の概要】
【発明が解決しようとする課題】
【０００６】
上記のようなピンセット型はんだこてでは、先端部を加熱する加熱部がピンセットに組み込まれており、作業者により操作された場合、加熱部からの熱が、ピンセット先端で把持した電子部品に伝達され、該電子部品の両側に接するはんだ付け箇所を同時に溶融させる。
【０００７】
ところで、上記ピンセット型はんだこてでは、高頻度で電子部品を把持すると、先端に位置するピンセットがすり減るために、該ピンセットを新品に交換する必要が生じ、このようなピンセットの定期的な交換作業によって、回路基板に対する電子部品の取り付け又は取り外し作業の能率が悪くなるという問題があった。
【０００８】
また、上記ピンセット型はんだこてでは、先端部に位置するピンセットが加熱部分に固定されていることが多く、先端部を交換する場合は、その都度、ピンセットを加熱部分から取り外すなどの付加的作業が必要となり、この点においても作業能率が悪くなるという問題もあった。
【０００９】
さらに、上記ピンセット型はんだこてでは、電子部品の大きさに合わせて、ピンセットを取り換える必要があり、その取り換え作業のために、全体の作業能率が悪くなるという問題がある。
【００１０】
この発明は、上述した事情に鑑みてなされたものであって、ピンセットの交換作業を効率良く行うことができるピンセット型はんだこての提供を目的とする。
【課題を解決するための手段】
【００１１】
上記課題を解決するために、この発明は以下の手段を提案している。
本発明は、はんだを溶融させることによって電子部品の取り付け又は取り外しを行うピンセット型はんだこてであって、電子部品を把持する一対のピンセットと、各ピンセットを回動自在に支持する回転機構と、該回転機構に設けられて、該ピンセット先端の開き幅を調整する角度調整機構と、を有することを特徴とする。
【００１２】
前記回転機構は、前記ピンセットをそれぞれ軸支しかつ互いが平行となるように配置された一対の回転軸と、前記ピンセットを互いに離間させる方向に付勢する付勢手段と、前記ピンセットに接触して前記ピンセット先端が互い予め設定した開き幅となるように離間させるストッパーと、を有し、前記角度調整機構は、前記ストッパーの位置を調整して、前記ピンセット先端の開き幅を調整するストッパー操作スイッチを有することを特徴とする。
【００１３】
前記ストッパーは、前記ピンセット先端を広い開き幅とする第１のストッパーと、該ピンセット先端を狭い開き幅とする第２のストッパーと、を有し、前記角度調整機構は、前記ストッパー操作スイッチの操作により、前記第１又は第２のストッパーのいずれか一方を前記ピンセットに接触可能とすることを特徴とする。
【００１４】
前記角度調整機構は、前記第２のストッパーを前記ピンセットの回転経路に対して進退自在に配置し、前記ストッパー操作スイッチの操作により、前進位置にて、前記第２のストッパーを前記ピンセットに接触させ、また、後退位置にて前記第１のストッパーを前記ピンセットに接触させることを特徴とする。
【００１５】
前記第２のストッパーは、前記回転軸を挟んで、前記ピンセット先端と反対側に位置する該ピンセット後端側に配置され、かつ該ピンセットの後端の間にて、進退自在に配置されることを特徴とする。
【発明の効果】
【００１６】
本発明によれば、電子部品を把持する一対のピンセットを回動自在に支持する回転機構と、該ピンセット先端の開き幅を調整する角度調整機構とを具備する構成であるので、該角度調整機構によるピンセット先端の開き幅調整によって、特にピンセットの交換作業を行うことなく、電子部品の形状及びサイズに合わせたピンセットの設定作業を行うことができる。これによって異なる形状及びサイズを有する電子部品について、ピンセットによる、回路基板への取り付け又は回路部品からの取り外し作業を効率良く行うことができる。
【００１７】
具体的には、角度調整機構において、ピンセット先端を広い開き幅とする第１のストッパーと、該ピンセット先端を狭い開き幅とする第２のストッパーとを具備し、これら第１又は第２のストッパーのいずれか一方をピンセットに接触させることにより、電子部品の形状及びサイズに合わせたピンセットの設定作業を容易に行うことができる。
【図面の簡単な説明】
【００１８】
【図１】本発明の一実施形態に係る平面図であって、こて先部とこて本体部とが合体されたピンセット型はんだこてを示している。
【図２】図１に示すピンセット型はんだこてを斜め側方から見た斜視図である。
【図３】図１に示すピンセット型はんだこてにおいて、こて先部とこて本体部とが分離された状態を示す斜視図である。
【図４】本発明の一実施形態に係る連結手段の具体例を示す分解平面図であって、抜け止めレバーが係合されている状態を示している。
【図５】図４の抜け止めレバーが非係合状態にあることを示す分解平面図である。
【図６】こて先部とこて本体部とが分離された状態を示す斜視図であって、特に、こて本体部に内蔵された第２のストッパー（斜線部）の位置関係を示している。
【図７】図６に示す第２のストッパー（斜線部）が後退位置にある状態を示す説明図である。
【図８】第２のストッパーの動作を示す説明図であって、（Ａ）は第２のストッパーの後退移動によってピンセットが広い開き幅に設定されたことを示す図、（Ｂ）は第１のストッパーが機能していることを示す図である。
【図９】第２のストッパーの動作を示す説明図であって、（Ａ）は第２のストッパーの前進移動によってピンセットが狭い開き幅に設定されたことを示す図、（Ｂ）は第２のストッパーが機能していることを示す図である。
【図１０】本発明のピンセット型はんだこてにおける、角度調整機構の別な実施形態を示す要部拡大平面図である。
【図１１】本発明のピンセット型はんだこてにおける、角度調整機構の別な実施形態を示す要部拡大平面図である。
【発明を実施するための形態】
【００１９】
本発明の一実施形態について、図１〜図９を参照して説明する。
図１〜図３ははんだを溶融させることによって電子部品の取り付け又は取り外しを行うピンセット型はんだこて１であって、電子部品を把持する一対のピンセット１０、２０を有する先端側のこて先部３０と、こて先部３０を支持する基端部側のこて本体部３１と、を具備している。
【００２０】
こて先部３０内には、こて本体部３１の後部に連結された電気ケーブル３２及び該こて本体部３１との間に設置されたプラグ３３（図３参照）を通じて電力供給を受ける加熱部（図示略）が内蔵されており、加熱部で発生した熱は、こて先部３０のピンセット１０、２０に伝達される。そして、この熱より、ピンセット１０、２０の最先端位置にて、電子部品に対するはんだ付け又ははんだ外しを行うことができる。
【００２１】
なお、この加熱部は、こて先部３０に配置しているが、これに限定されずこて本体部３１内に配置し、発生した熱をこて先部３０側に位置するピンセット１０、２０に伝達しても良い。
【００２２】
また、こて先部３０の把持部分は、例えば曲線状を成し、ピンセット１０、２０の取付側に向けてフレア状に広がるように形成されている。これによって、作業者がこて先部３０の把持部分を把持した際に、把持部分から滑って作業者の手指が加熱されたピンセット１０、２０に接することを防止できる。
【００２３】
こて先部３０とこて本体部３１との間にはこれらを脱着させる連結手段４０が設けられている。
連結手段４０は、図４及び図５に示されるように、こて先部３０側に設けられかつ該こて先部３０がこて本体部３１に押し込まれることにより、該こて本体部３１に結合させる抜け止めレバー４１と、こて本体部３１側に設けられかつ該抜け止めレバー４１によるこて先部３０とこて本体部３１との係合状態を解除するレバー操作部４２と、を有する。
【００２４】
抜け止めレバー４１は弾性を有する材料により揺動可能に形成されたものであって、図４に示されるように、こて先部３０がこて本体部３１に矢印（ロ）方向側に押し込まれた状態では、その先端片４１Ａが、こて本体部３１の側部に凹状に形成された被係合部４３に係合される。
【００２５】
そして、このような抜け止めレバー４１の先端片４１Ａと被係合部４３との係合により、こて先部３０とこて本体部３１とが抜け止めされ、該こて先部３０とこて本体部３１とが一体化される。
【００２６】
レバー操作部４２は、こて本体部３１側に軸４２Ａを中心として矢印ａ１−ａ２方向に回動自在に設けられたものであって、作業者の操作により、その先端４２Ｂが矢印ａ１方向に押された場合に、抜け止めレバー４１に接触して、該抜け止めレバー４１の弾性力に抗してその先端片４１Ａを同方向に押圧する。また、レバー操作部４２の先端４２Ｂの後部にあるのは、該レバー操作部４２の矢印ａ１側に押すための操作ボタン４２Ｃである。
【００２７】
そして、連結手段４０では、作業者によりレバー操作部４２の操作ボタン４２Ｃが押されて、該レバー操作部４２が矢印ａ１方向に押圧された場合には、該抜け止めレバー４１の先端片４１Ａと、被係合部４３との係合状態が解除される。その結果、図５に示すように、こて先部３０がこて本体部３１から取り外せるようになる（取り外し方向を矢印（イ）で示す）。その後、こて先部３０を別の新たなこて先部３０に取り換えることにより、ピンセット１０、２０の交換を行うことができる。
【００２８】
また、こて先部３０を交換した後は、図５〜図４に示すように、交換後のこて先部３０をこて本体部３１に対して矢印（ロ）方向に押し込めば、抜け止めレバー４１の弾性復帰力により該抜け止めレバー４１の先端片４１Ａを、被係合部４３に再び係合させることができる（図４の状態）。これにより、こて先部３０とこて本体部３１とを結合及び一体化させることが可能となる。
【００２９】
なお、上記実施形態の連結手段４０では、こて先部３０側に抜け止めレバー４１を設け、こて本体部３１側に被係合部４３を設けたが、これに限定されず、こて本体部３１側に抜け止めレバー４１を設け、こて先部３０側に被係合部４３を設けても良く、これら抜け止めレバー４１及び被係合部４３の位置は適宜設定可能である。
【００３０】
次に、各ピンセット１０、２０を矢印ｂ１−ｂ２方向、矢印ｃ１−ｃ２方向に回動自在に支持する回転機構５０、及び回転機構５０に設けられて該ピンセット１０、２０先端の開き幅（符号Ｍ１、Ｍ２で示す）を調整する角度調整機構５１について、図６〜図９について説明する。
【００３１】
回転機構５０は、ピンセット１０、２０をそれぞれ軸支しかつ互いが平行となるように配置された一対の回転軸１１、２１と、ピンセット１０、２０を互いに離間させる矢印ｂ１、ｃ１方向にそれぞれ付勢する付勢手段（図示略）と、ピンセット１０、２０に接触してピンセット１０、２０の先端が互い予め設定した開き幅Ｍ１、Ｍ２となるように離間させる第１のストッパーＳ１Ａ、Ｓ１Ｂ及び第２のストッパーＳ２と、を有している。
【００３２】
これら第１のストッパーＳ１Ａ、Ｓ１Ｂは、各ピンセット１０、２０の回転回路内に配置されるものであって、ピンセット１０、２０の一部をなす突出片１２、２２にそれぞれ接触する（図８〜図９参照）。また、第２のストッパーＳ２は、回転軸１１、２１を挟んで、ピンセット１０、２０先端と反対側に位置する該ピンセット１０、２０の後端側に配置され、かつ該ピンセット１０、２０の後端の間にて、進退自在（矢印（イ）‐（ロ）方向に移動自在）に配置されている（図６〜図９参照）。
【００３３】
そして、第１のストッパーＳ１Ａ、Ｓ１Ｂでは、図８（Ａ）（Ｂ）に示されるように、ピンセット１０、２０が付勢手段によって大きい開き幅Ｍ１となるように位置設定される。また、第２のストッパーＳ２では、図９（Ａ）（Ｂ）に示されるように、ピンセット１０、２０が付勢手段によって開き幅Ｍ１より小さい、狭い開き幅Ｍ２となるように位置設定されている。
【００３４】
ピンセット型はんだこて１で取り上げる電子部品には、大小様々なサイズがあるが、開き幅Ｍ１と開き幅Ｍ２とを設定することによって、例えば、サイズが小さい部品を取る際に使用する場合、開き幅を制限することによって、無駄な開閉動作を軽減し、作業性を大きく向上させることが可能になる。
【００３５】
また、この回転機構５０では、図６及び図７に示すように（図８及び図９では図示略）ピンセット１０、２０の回転軸１１、２１に歯車１３、２３が配置され、これら歯車１３、２３が互いに噛み合うことで、該ピンセット１０、２０が対称に開くようにしている。
【００３６】
このように、ピンセット１０、２０を対称に開かせることによって、電子部品に対してピンセット１０、２０を左右対称に同じように押し当てることができる。これによって、電子部品を掴む際に作業者が左右の力加減を考慮する必要が無く、作業性を大きく向上させることが可能になる。
【００３７】
角度調整機構５１は、こて本体部３１に設けられたストッパー操作スイッチ５２により操作されるものであって、該ストッパー操作スイッチ５２の操作により、回転機構５０の第２のストッパーＳ２の位置を調整して、ピンセット１０、２０先端の開き幅Ｍ１、Ｍ２を調整する。
【００３８】
具体的には、角度調整機構５１は、ストッパー操作スイッチ５２の操作により、ピンセット１０、２０の回転経路に対して第２のストッパーＳ２を進退自在（矢印（イ）‐（ロ）方向に移動自在）に配置するものである。
【００３９】
そして、この角度調整機構５１では、矢印（ロ）方向に沿う第２のストッパーＳ２の後退位置にて、ピンセット１０、２０に接触可能なストッパーを第１のストッパーＳ１Ａ、Ｓ１Ｂとし（図８（Ｂ）参照）、また、矢印（イ）方向に沿う第２のストッパーＳ２の前進位置にて、ピンセット１０、２０の各被係合部１４、２４に接触及び係合可能なストッパーを第２のストッパーＳ２とする（図９（Ｂ）参照）。
【００４０】
すなわち、角度調整機構５１は、第２のストッパーＳ２の矢印（ロ）方向の後退又は矢印（イ）方向の前進によって、第１のストッパーＳ１Ａ、Ｓ１Ｂ又は第２のストッパーＳ２のいずれか一方をピンセット１０、２０に接触可能とし、これによってピンセット１０、２０の開き幅Ｍ１又はＭ２の選択的設定を行うことができる。
【００４１】
その結果、本実施形態に示されるピンセット型はんだこて１では、角度調整機構５１によるピンセット１０、２０の開き幅Ｍ１又はＭ２を選択的に設定することができ、これによってピンセット１０、２０の交換作業を行うことなく、電子部品の形状及びサイズに合わせたピンセット１０、２０の設定作業を行うことができる。
【００４２】
なお、本実施形態においては、こうした開き幅の一例として２段階にした構成を例示しているが、開き幅を３段階以上、多段階にしたり、あるいは、開き幅を無段階に調節できる構成にすることも好ましい。
【００４３】
なお、図９（Ｂ）に示す、矢印（イ）方向に沿う第２のストッパーＳ２の前進位置にて、ピンセット１０、２０の各被係合部１４、２４に第２のストッパーＳ２を接触及び係合可能とするためには、作業者が一時的にピンセット１０、２０の先端を狭める方向（矢印ｂ２方向及び矢印ｃ２方向）に指でつまんで該ピンセット１０、２０の後端部間を広げる必要がある。しかし、この操作は、手動ではなく、ストッパー操作スイッチ５２に連動して機械的に行うようにしても良い。
【００４４】
以上詳細に説明したように本実施形態に示されるピンセット型はんだこて１では、作業者が連結手段４０のレバー操作部４２を操作した場合に、抜け止めレバー４１によるこて先部３０とこて本体部３１との係合状態が解除される。
【００４５】
これによって電子部品を把持する一対のピンセット１０、２０を有するこて先部３０において、該ピンセット１０、２０を交換する必要が生じた場合に、レバー操作部４２を通じて、抜け止めレバー４１を操作して該抜け止めレバー４１による係合状態を解除することができ、こて本体部３１からのこて先部３０の取り外しを容易に行うことができる。
その結果、ピンセット型はんだこて１による、回路基板への大小異なる電子部品を取り付け、又は回路部品からの電子部品の取り外し作業を効率化することができる。
【００４６】
これによって、ピンセット１０、２０が加熱されて熱い状態であっても、冷却されるまで待たずにピンセット１０、２０を交換することができ、作業効率を大きく向上させることが可能になる。
また、ピンセット１０、２０は、こて先部３０として一体の部材となっているため、左右のピンセットをそれぞれ個々に交換する場合に生じるおそれのある、左右のピンセットの先端の位置ズレを確実に防止することができる。
【００４７】
また、レバー操作部４２を通じて抜け止めレバー４１を操作するだけで、ピンセット１０、２０を有するこて先部３０を、こて本体部３１から取り外すことができるので、電子部品の形状に応じたピンセット１０、２０交換の作業効率を効率化することができる。
【００４８】
また、連結手段４０の抜け止めレバー４１は、こて先部３０又はこて本体部３１のいずれか一方に設けられて、これらこて先部３０とこて本体部３１とのいずれか他方に係合されることにより、これらが互いに連結される構成であるので、該抜け止めレバー４１を設置するための構成上の制約を最小限に抑えることができる。
【００４９】
また、こて先部３０のピンセット１０、２０を加熱する加熱部を、こて本体部３１側に配置する構成を採用することによって、該こて先部３０のピンセット１０、２０を交換する毎に、加熱部を取り外す必要がなくなり、これによっても、ピンセット型はんだこて１による、回路基板への電子部品を取り付け、又は回路部品からの電子部品の取り外し作業を効率化することができる。
【００５０】
図１０（Ａ）〜（Ｃ）は、本発明のピンセット型はんだこてにおける角度調整機構の別な実施形態を示す平面図である。
この実施形態におけるピンセット型はんだこての角度調整機構６１は、２つの可動片６２ａ，６２ｂと、この可動片６２ａ，６２ｂに螺合するネジ６３と、このネジ６３を回動可能に支持する基部６４と、を有する。
【００５１】
ネジ６３は、その回転軸に沿った中心を境にして右ネジ領域６３ａと左ネジ領域６３ｂと、を有する。この右ネジ領域６３ａと左ネジ領域６３ｂとは、互いに逆方向となるようにネジ山が形成されている。そして、可動片６２ａは右ネジ領域６３ａに、また可動片６２ｂは左ネジ領域６３ｂに、それぞれ螺合されている。
【００５２】
こうした構成により、ネジ６３の操作部６３ｃを回転させるとネジ６３が回転し、可動片６２ａと可動片６２ｂとが接近、または離間する方向に移動する。例えば、図１０（Ｂ）では、可動片６２ａと可動片６２ｂとを最大限離間させた状態を示し、この位置からネジ６３を回転させることによって、可動片６２ａと可動片６２ｂとを互いに接近させ、可動片６２ａと可動片６２ｂとの間隔を無段階で任意の幅に調節することができる。なお、ネジ６３を回転させる操作は、図１０（Ａ）に示すように、ネジ６３の側面に形成した切り込みをマイナスドライバーなどで回転させることによって行ってもよい。
【００５３】
こうした角度調整機構６１をピンセット型はんだこてに適用することによって、ピンセットの開き角度を任意の範囲で無段階に調節できる。例えば、図８に示すピンセット１０、２０の各被係合部１４、２４に対して、可動片６２ａ，６２ｂの当接部６２ａｆ、６２ｂｆを当接させることにより、ピンセット１０とピンセット２０との開き角度を任意の範囲で無段階に調節することが可能になる。
【００５４】
図１１は、本発明のピンセット型はんだこてにおける角度調整機構の別な実施形態を示す平面図である。
この実施形態におけるピンセット型はんだこての角度調整機構７１は、ピンセット１０、２０（図８参照）の回転軸７２、７３にそれぞれ形成された階段状の切欠部７４，７５と、該切欠部７４，７５に係合可能な第２のストッパーＳ２と、を有する。
【００５５】
このような角度調整機構７１によれば、第２のストッパーＳ２と切欠部７４，７５との係合位置を変更することによって、例えば、切欠部７４，７５の段差の数だけピンセット１０、２０（図８参照）の開き角度を段階的に規制することが可能になる。
【００５６】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００５７】
本発明は、回路基板への電子部品を取り付ける、又は回路部品からの電子部品の取り外すためのピンセット型はんだこてに関するものである。
【符号の説明】
【００５８】
１  ピンセット型はんだこて
１０  ピンセット
１１  回転軸
２０  ピンセット
２１  回転軸
３０  こて先部
３１  こて本体部
４０  連結手段
４１  抜け止めレバー
４２  レバー操作部
４３  被係合部
５０  回転機構
５１  角度調整機構
５２  ストッパー操作スイッチ
Ｓ１Ａ  第１のストッパー
Ｓ１Ｂ  第１のストッパー
Ｓ２  第２のストッパー
Ｍ１  （広い）開き幅
Ｍ２  （狭い）開き幅
【図１】
2015131316.tif 000003
【図２】
2015131316.tif 000004
【図３】
2015131316.tif 000005
【図４】
2015131316.tif 000006
【図５】
2015131316.tif 000007
【図６】
2015131316.tif 000008
【図７】
2015131316.tif 000009
【図８】
2015131316.tif 000010
【図９】
2015131316.tif 000011
【図１０】
2015131316.tif 000012
【図１１】
2015131316.tif 000013